(57)【特許請求の範囲】
【請求項１】
ネットワークエンティティが、第１のアクセスポイントにメッセージを送ることと、ここで、前記メッセージが、アクセス端末のための回線交換フォールバックプロシージャに関連する回線交換フォールバックインジケータを含む、
前記メッセージが前記第１のアクセスポイントに送られた後の前記回線交換フォールバックプロシージャ中に、前記ネットワークエンティティが、前記第１のアクセスポイントから第２のアクセスポイントへの前記アクセス端末のハンドオーバが開始されたと判断することと、
前記ネットワークエンティティが、前記判断の結果として前記第２のアクセスポイントにメッセージを送ることと、ここで、前記第２のアクセスポイントに送られる前記メッセージが、前記アクセス端末のための回線交換フォールバックプロシージャに関連する前記回線交換フォールバックインジケータを含む、
前記ハンドオーバが完了した後に、前記ネットワークエンティティおよび前記第２のアクセスポイントが前記回線交換フォールバックプロシージャを続行することと
を備える、通信の方法。
【請求項２】
前記第１のアクセスポイントに送られる前記メッセージがＵＥコンテキスト変更要求を備える、請求項１に記載の方法。
【請求項３】
前記第１のアクセスポイントに送られる前記メッセージが初期コンテキストセットアップ要求を備える、請求項１に記載の方法。
【請求項４】
前記判断が、前記アクセス端末の前記ハンドオーバを示す別のメッセージを受信することを備える、請求項１に記載の方法。
【請求項５】
前記別のメッセージがハンドオーバ通知メッセージを備える、請求項４に記載の方法。
【請求項６】
前記別のメッセージが経路切替え要求メッセージを備える、請求項４に記載の方法。
【請求項７】
前記第１のアクセスポイントに送られる前記メッセージと前記第２のアクセスポイントに送られる前記メッセージとが、前記回線交換フォールバックインジケータを含むＵＥコンテキスト変更要求を備える、請求項１に記載の方法。
【請求項８】
前記第２のアクセスポイントに前記メッセージを前記送ることが、前記アクセス端末の前記ハンドオーバが完了した場合に前記第２のアクセスポイントに前記メッセージを送ることを備える、請求項１に記載の方法。
【請求項９】
前記ハンドオーバが開始されたという前記判断は、ハンドオーバ通知メッセージの受信に基づいて前記ハンドオーバが完了したと判断することを備える、請求項１に記載の方法。
【請求項１０】
前記ハンドオーバが開始されたという前記判断は、経路切替え要求メッセージの受信に基づいて前記ハンドオーバが完了したと判断することを備える、請求項１に記載の方法。
【請求項１１】
前記判断の結果として、前記第１のアクセスポイントに関連する第１のモビリティ管理エンティティから、前記第２のアクセスポイントに関連する第２のモビリティ管理エンティティに前記アクセス端末のための回線交換フォールバックの指示を送ることをさらに備える、請求項１に記載の方法。
【請求項１２】
前記指示が、前記第１のモビリティ管理エンティティから前記第２のモビリティ管理エンティティに送られるコンテキスト情報中に含まれる、請求項１１に記載の方法。
【請求項１３】
前記判断が、前記第１のアクセスポイントに送られる前記メッセージに対する拒否を受信することを備え、
前記拒否は、前記ハンドオーバが進行中であるという指示を備える、請求項１に記載の方法。
【請求項１４】
前記第１のアクセスポイントに前記メッセージを前記送ることが、Ｓ１インターフェースプロシージャを備え、
前記判断が、前記Ｓ１インターフェースプロシージャに対する拒否を受信することを備え、
前記拒否は、前記ハンドオーバが進行中であるという指示を備える、請求項１に記載の方法。
【請求項１５】
前記第２のアクセスポイントに前記メッセージを前記送ることが、前記ハンドオーバが完了した場合に前記第２のアクセスポイントとの前記Ｓ１インターフェースプロシージャを再試行することを備える、請求項１４に記載の方法。
【請求項１６】
第１のアクセスポイントにメッセージを送るように構成された回線交換フォールバックコントローラと、ここで、前記メッセージが、アクセス端末のための回線交換フォールバックプロシージャに関連する回線交換フォールバックインジケータを含む、
前記メッセージが前記第１のアクセスポイントに送られた後の前記回線交換フォールバックプロシージャ中に、前記第１のアクセスポイントから第２のアクセスポイントへの前記アクセス端末のハンドオーバが開始されたと判断するように構成されたハンドオーバコントローラと
を備え、
前記回線交換フォールバックコントローラが、前記判断の結果として前記第２のアクセスポイントにメッセージを送るようにさらに構成され、ここで、前記第２のアクセスポイントに送られる前記メッセージが、前記アクセス端末のための回線交換フォールバックプロシージャに関連する前記回線交換フォールバックインジケータを含む、
前記回線交換フォールバックコントローラが、前記ハンドオーバが完了した後に、前記第２のアクセスポイントを通じて前記回線交換フォールバックプロシージャを続行するようにさらに構成された、  通信のための装置。
【請求項１７】
前記第１のアクセスポイントに送られる前記メッセージがＵＥコンテキスト変更要求を備える、請求項１６に記載の装置。
【請求項１８】
前記第１のアクセスポイントに送られる前記メッセージが初期コンテキストセットアップ要求を備える、請求項１６に記載の装置。
【請求項１９】
前記判断が、前記アクセス端末の前記ハンドオーバを示す別のメッセージを受信することを備える、請求項１６に記載の装置。
【請求項２０】
前記別のメッセージがハンドオーバ通知メッセージを備える、請求項１９に記載の装置。
【請求項２１】
前記別のメッセージが経路切替え要求メッセージを備える、請求項１９に記載の装置。
【請求項２２】
前記第１のアクセスポイントに送られる前記メッセージと前記第２のアクセスポイントに送られる前記メッセージとが、前記回線交換フォールバックインジケータを含むＵＥコンテキスト変更要求を備える、請求項１６に記載の装置。
【請求項２３】
前記第２のアクセスポイントに前記メッセージを前記送ることが、前記アクセス端末の前記ハンドオーバが完了した場合に前記第２のアクセスポイントに前記メッセージを送ることを備える、請求項１６に記載の装置。
【請求項２４】
前記ハンドオーバが開始されたという前記判断は、ハンドオーバ通知メッセージの受信に基づいて前記ハンドオーバが完了したと判断することを備える、請求項１６に記載の装置。
【請求項２５】
前記ハンドオーバが開始されたという前記判断は、経路切替え要求メッセージの受信に基づいて前記ハンドオーバが完了したと判断することを備える、請求項１６に記載の装置。
【請求項２６】
前記回線交換フォールバックコントローラが、前記判断の結果として、前記第１のアクセスポイントに関連する第１のモビリティ管理エンティティから、前記第２のアクセスポイントに関連する第２のモビリティ管理エンティティに前記アクセス端末のための回線交換フォールバックの指示を送るようにさらに構成された、請求項１６に記載の装置。
【請求項２７】
前記指示が、前記第１のモビリティ管理エンティティから前記第２のモビリティ管理エンティティに送られるコンテキスト情報中に含まれる、請求項２６に記載の装置。
【請求項２８】
前記判断が、前記第１のアクセスポイントに送られる前記メッセージに対する拒否を受信することを備え、
前記拒否は、前記ハンドオーバが進行中であるという指示を備える、請求項１６に記載の装置。
【請求項２９】
前記第１のアクセスポイントに前記メッセージを前記送ることが、Ｓ１インターフェースプロシージャを備え、
前記判断が、前記Ｓ１インターフェースプロシージャに対する拒否を受信することを備え、
前記拒否は、前記ハンドオーバが進行中であるという指示を備える、請求項１６に記載の装置。
【請求項３０】
前記第２のアクセスポイントに前記メッセージを前記送ることが、前記ハンドオーバが完了した場合に前記第２のアクセスポイントとの前記Ｓ１インターフェースプロシージャを再試行することを備える、請求項２９に記載の装置。
【請求項３１】
第１のアクセスポイントにメッセージを送るための手段と、ここで、前記メッセージが、アクセス端末のための回線交換フォールバックプロシージャに関連する回線交換フォールバックインジケータを含む、
前記メッセージが前記第１のアクセスポイントに送られた後の前記回線交換フォールバックプロシージャ中に、前記第１のアクセスポイントから第２のアクセスポイントへの前記アクセス端末のハンドオーバが開始されたと判断するための手段と、
前記判断の結果として前記第２のアクセスポイントにメッセージを送るための手段と、ここで、前記第２のアクセスポイントに送られる前記メッセージが、前記アクセス端末のための回線交換フォールバックプロシージャに関連する前記回線交換フォールバックインジケータを含む、
前記ハンドオーバが完了した後に、前記第２のアクセスポイントを通じて前記回線交換フォールバックプロシージャを続行するための手段と、
を備える、通信のための装置。
【請求項３２】
前記第１のアクセスポイントに送られる前記メッセージがＵＥコンテキスト変更要求を備える、請求項３１に記載の装置。
【請求項３３】
前記第１のアクセスポイントに送られる前記メッセージが初期コンテキストセットアップ要求を備える、請求項３１に記載の装置。
【請求項３４】
前記判断が、前記アクセス端末の前記ハンドオーバを示す別のメッセージを受信することを備える、請求項３１に記載の装置。
【請求項３５】
前記別のメッセージがハンドオーバ通知メッセージを備える、請求項３４に記載の装置。
【請求項３６】
前記別のメッセージが経路切替え要求メッセージを備える、請求項３４に記載の装置。
【請求項３７】
前記第１のアクセスポイントに送られる前記メッセージと前記第２のアクセスポイントに送られる前記メッセージとが、前記回線交換フォールバックインジケータを含むＵＥコンテキスト変更要求を備える、請求項３１に記載の装置。
【請求項３８】
前記第２のアクセスポイントに前記メッセージを前記送ることが、前記アクセス端末の前記ハンドオーバが完了した場合に前記第２のアクセスポイントに前記メッセージを送ることを備える、請求項３１に記載の装置。
【請求項３９】
前記ハンドオーバが開始されたという前記判断は、ハンドオーバ通知メッセージの受信に基づいて前記ハンドオーバが完了したと判断することを備える、請求項３１に記載の装置。
【請求項４０】
前記ハンドオーバが開始されたという前記判断は、経路切替え要求メッセージの受信に基づいて前記ハンドオーバが完了したと判断することを備える、請求項３１に記載の装置。
【請求項４１】
前記判断の結果として、前記第１のアクセスポイントに関連する第１のモビリティ管理エンティティから、前記第２のアクセスポイントに関連する第２のモビリティ管理エンティティに前記アクセス端末のための回線交換フォールバックの指示を送るための手段をさらに備える、請求項３１に記載の装置。
【請求項４２】
前記指示が、前記第１のモビリティ管理エンティティから前記第２のモビリティ管理エンティティに送られるコンテキスト情報中に含まれる、請求項４１に記載の装置。
【請求項４３】
前記判断が、前記第１のアクセスポイントに送られる前記メッセージに対する拒否を受信することを備え、
前記拒否は、前記ハンドオーバが進行中であるという指示を備える、請求項３１に記載の装置。
【請求項４４】
前記第１のアクセスポイントに前記メッセージを前記送ることが、Ｓ１インターフェースプロシージャを備え、
前記判断が、前記Ｓ１インターフェースプロシージャに対する拒否を受信することを備え、
前記拒否は、前記ハンドオーバが進行中であるという指示を備える、請求項３１に記載の装置。
【請求項４５】
前記第２のアクセスポイントに前記メッセージを前記送ることが、前記ハンドオーバが完了した場合に前記第２のアクセスポイントとの前記Ｓ１インターフェースプロシージャを再試行することを備える、請求項４４に記載の装置。
【請求項４６】
第１のアクセスポイントにメッセージを送ることと、ここで、前記メッセージが、アクセス端末のための回線交換フォールバックプロシージャに関連する回線交換フォールバックインジケータを含む、
前記メッセージが前記第１のアクセスポイントに送られた後の前記回線交換フォールバックプロシージャ中に、前記第１のアクセスポイントから第２のアクセスポイントへの前記アクセス端末のハンドオーバが開始されたと判断することと、
前記判断の結果として前記第２のアクセスポイントにメッセージを送ることと、ここで、前記第２のアクセスポイントに送られる前記メッセージが、前記アクセス端末のための回線交換フォールバックプロシージャに関連する前記回線交換フォールバックインジケータを含む、
前記ハンドオーバが完了した後に、前記第２のアクセスポイントを通じて前記回線交換フォールバックプロシージャを続行することと、
をコンピュータに行わせるためのコードを備える、コンピュータプログラム。
【請求項４７】
前記第１のアクセスポイントに送られる前記メッセージがＵＥコンテキスト変更要求を備える、請求項４６に記載のコンピュータプログラム。
【請求項４８】
前記第１のアクセスポイントに送られる前記メッセージが初期コンテキストセットアップ要求を備える、請求項４６に記載のコンピュータプログラム。
【請求項４９】
前記判断が、前記アクセス端末の前記ハンドオーバを示す別のメッセージを受信することを備える、請求項４６に記載のコンピュータプログラム。
【請求項５０】
前記別のメッセージがハンドオーバ通知メッセージを備える、請求項４９に記載のコンピュータプログラム。
【請求項５１】
前記別のメッセージが経路切替え要求メッセージを備える、請求項４９に記載のコンピュータプログラム。
【請求項５２】
前記第１のアクセスポイントに送られる前記メッセージと前記第２のアクセスポイントに送られる前記メッセージとが、前記回線交換フォールバックインジケータを含むＵＥコンテキスト変更要求を備える、請求項４６に記載のコンピュータプログラム。
【請求項５３】
前記第２のアクセスポイントに前記メッセージを前記送ることが、前記アクセス端末の前記ハンドオーバが完了した場合に前記第２のアクセスポイントに前記メッセージを送ることを備える、請求項４６に記載のコンピュータプログラム。
【請求項５４】
前記ハンドオーバが開始されたという前記判断は、ハンドオーバ通知メッセージの受信に基づいて前記ハンドオーバが完了したと判断することを備える、請求項４６に記載のコンピュータプログラム。
【請求項５５】
前記ハンドオーバが開始されたという前記判断は、経路切替え要求メッセージの受信に基づいて前記ハンドオーバが完了したと判断することを備える、請求項４６に記載のコンピュータプログラム。
【請求項５６】
前記判断の結果として、前記第１のアクセスポイントに関連する第１のモビリティ管理エンティティから、前記第２のアクセスポイントに関連する第２のモビリティ管理エンティティに前記アクセス端末のための回線交換フォールバックの指示を送ることを前記コンピュータに行わせるためのコードをさらに備える、請求項４６に記載のコンピュータプログラム。
【請求項５７】
前記指示が、前記第１のモビリティ管理エンティティから前記第２のモビリティ管理エンティティに送られるコンテキスト情報中に含まれる、請求項５６に記載のコンピュータプログラム。
【請求項５８】
前記判断が、前記第１のアクセスポイントに送られる前記メッセージに対する拒否を受信することを備え、
前記拒否は、前記ハンドオーバが進行中であるという指示を備える、請求項４６に記載のコンピュータプログラム。
【請求項５９】
前記第１のアクセスポイントに前記メッセージを前記送ることが、Ｓ１インターフェースプロシージャを備え、
前記判断が、前記Ｓ１インターフェースプロシージャに対する拒否を受信することを備え、
前記拒否は、前記ハンドオーバが進行中であるという指示を備える、請求項４６に記載のコンピュータプログラム。
【請求項６０】
前記第２のアクセスポイントに前記メッセージを前記送ることが、前記ハンドオーバが完了した場合に前記第２のアクセスポイントとの前記Ｓ１インターフェースプロシージャを再試行することを備える、請求項５９に記載のコンピュータプログラム。
【請求項６１】
第１のネットワークエンティティが、第１のアクセスポイントにメッセージを送ることと、ここで、前記第１のネットワークエンティティが前記第１のアクセスポイントを管理し、前記メッセージが、アクセス端末のための回線交換フォールバックプロシージャに関連する回線交換フォールバックインジケータを含む、
前記メッセージが前記第１のアクセスポイントに送られた後の前記回線交換フォールバックプロシージャ中に、前記第１のネットワークエンティティが、前記第１のアクセスポイントから第２のアクセスポイントへの前記アクセス端末のハンドオーバが開始されたと判断することと、
前記第１のネットワークエンティティが、第２のネットワークエンティティを通じて、前記判断の結果として前記第２のアクセスポイントにメッセージを送ることと、ここで、前記第２のネットワークエンティティが前記第２のアクセスポイントを管理し、前記第２のアクセスポイントに送られる前記メッセージが、前記アクセス端末のための回線交換フォールバックプロシージャに関連する前記回線交換フォールバックインジケータを含む、
前記第１のネットワークエンティティが、前記第２のネットワークエンティティにコンテキスト情報を転送することと、
前記ハンドオーバが完了した後に、前記第２のネットワークエンティティが前記回線交換フォールバックプロシージャを再開することと、
前記第２のアクセスポイントが、前記回線交換フォールバックプロシージャを続行することと
を備える、通信の方法。
【発明の詳細な説明】
【技術分野】
【０００１】
優先権の主張
本出願は、各々の開示が参照により本明細書に組み込まれる、２００９年１０月３０日に出願され、代理人整理番号第１００２１９Ｐ１号を付与された、同一出願人が所有する米国特許仮出願第６１／２５６，４７９号、２００９年１１月６日に出願され、代理人整理番号第１００２１９Ｐ２号を付与された、米国特許仮出願第６１／２５９，０１３号の利益および優先権を主張する。
【０００２】
本出願は、一般にワイヤレス通信に関し、より詳細には、限定はしないが、回線交換フォールバックプロシージャ（circuit switched fallback procedures）に関する。
【背景技術】
【０００３】
序論
ワイヤレス通信ネットワークは、画定された地理的エリア内のユーザに様々なタイプのサービス（たとえば、ボイス、データ、マルチメディアサービスなど）を提供するために、その地理的エリアにわたって展開され得る。典型的な実装形態では、ネットワークによってサービスされる地理的エリア内で動作しているアクセス端末（たとえば、セルフォン）にワイヤレス接続性を与えるために、（たとえば、様々なセルに対応する）アクセスポイントがネットワーク全体にわたって分散される。
【０００４】
一般に、所与の時点において、アクセス端末は、これらのアクセスポイントのうちの所与の１つによってサービスされることになる。アクセス端末が、現在のサービングアクセスポイントに関連する所与のセル内でローミングするとき、アクセス端末における信号状態は変化することがあり、それにより、アクセス端末は、別のアクセスポイントによってより良くサービスされ得る。したがって、アクセス端末のモビリティを維持するために、アクセス端末はそのサービングアクセスポイントから他のアクセスポイントにハンドオーバされ得る。
【０００５】
さらに、場合によっては、パケット交換（ＰＳ）ネットワーク上のアクセス端末は、回線交換（ＣＳ）ネットワークにハンドオーバまたはリダイレクトされる必要があり得る。たとえば、いくつかのタイプのワイヤレスネットワークは、排他的なパケット交換ネットワークであり、それにより、すべてのトラフィックは、パケット（たとえば、インターネットプロトコル（ＩＰ）パケット）を介してコアネットワークを通してルーティングされる。しかしながら、いくつかのタイプのアクセス端末は、（たとえば、マルチメディアデータのための）パケット交換接続性と、（たとえば、ボイス呼およびショートメッセージサービス（ＳＭＳ）通信のための）回線交換接続性とをサポートし得る。したがって、パケット交換ネットワークは、アクセス端末をＣＳ無線アクセス技術（ＲＡＴ）にハンドオーバまたはリダイレクトすることをサポートし得る。特定の例として、３ＧＰＰ進化型パケットシステム（ＥＰＳ）は、Ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）によってサービスされるアクセス端末のためのＣＳインフラストラクチャの再使用によって、ボイスおよび他のＣＳ領域サービス（たとえば、ＳＭＳ）のプロビジョニングを可能にするＣＳフォールバック（ＣＳＦＢ）プロシージャをサポートする。したがって、Ｅ−ＵＴＲＡＮに初めに接続されたＣＳフォールバック対応端末は、ＧＳＭ（登録商標）  ＥＤＧＥ無線アクセスネットワーク（ＧＥＲＡＮ：GSM EDGE Radio Access Network）、ＵＴＲＡＮ、ｃｄｍａ２０００  ＲＡＮ、または何らかの他のＲＡＴを介してＣＳ領域（たとえば、２Ｇまたは３Ｇネットワーク）にアクセスするためにＣＳフォールバックプロシージャを使用し得る。
【０００６】
いくつかの状況では、ＣＳフォールバックプロシージャ中に、アクセス端末のハンドオーバが呼び出され得る。したがって、これらおよび他の状況下でＣＳフォールバックを扱うための有効な技法が必要である。
【発明の概要】
【０００７】
本開示のいくつかの例示的な態様の概要について以下で説明する。本概要は、読者の便宜のために与えられ、本開示の幅を完全に定義するわけではない。便宜上、いくつかの態様という用語は、本明細書では、本開示の単一の態様または複数の態様を指すために使用され得る。
【０００８】
本開示は、いくつかの態様では、ハンドオーバプロシージャとＣＳフォールバックプロシージャとが同時に呼び出されたときに起こり得る競合を効果的に扱うロバストなＣＳフォールバックプロシージャに関する。たとえば、アクセス端末のためにＣＳフォールバックが開始され、次いで、ＣＳフォールバックが完了する前にそのアクセス端末のハンドオーバが開始された場合、ハンドオーバのためのターゲットは、ターゲットがＣＳフォールバックを完了し得るようにＣＳフォールバックについて通知される。
【０００９】
本開示は、いくつかの態様では、ＣＳフォールバックを可能にするために、モビリティマネージャなどのエンティティによって実行され得る動作に関する。これらの動作は、初めに、アクセス端末のためのサービングアクセスポイントへのＣＳフォールバックインジケータを備えるメッセージを送ることを含む。次いで、ソースアクセスポイントからターゲットアクセスポイントへのアクセス端末のハンドオーバが開始されたと判断すると、ＣＳフォールバックインジケータを備えるメッセージがターゲットアクセスポイントに再送される。
【００１０】
本開示のこれらおよび他の例示的な態様について、以下の詳細な説明および添付の特許請求の範囲、ならびに添付の図面において説明する。
【図面の簡単な説明】
【００１１】
【図１】本明細書で教示する、ＣＳフォールバックをサポートするように適応された通信システムのいくつかの例示的な態様の簡略ブロック図。
【図２】本明細書で教示する、ＣＳフォールバックを行うために実行され得る動作のいくつかの例示的な態様のフローチャート。
【図３】本明細書で教示する、ＣＳフォールバックのための例示的なコールフローの簡略図。
【図４】Ｘ２ハンドオーバ（たとえば、ｅノードＢ間の直接インターフェースを介したハンドオーバ）またはＳ１ハンドオーバ（たとえば、ｅノードＢを介したＭＭＥインターフェースへのハンドオーバ）中に、ＣＳフォールバックを可能にするために実行され得る動作のいくつかの例示的な態様のフローチャート。
【図５】モビリティマネージャ間でＣＳフォールバック情報を送ることをサポートするように適応された通信システムのいくつかの例示的な態様の簡略ブロック図。
【図６】ＣＳフォールバック中に行われるハンドオーバプロシージャを阻止することに関連して実行され得る動作のいくつかの例示的な態様のフローチャート。
【図７】ハンドオーバ中にＣＳフォールバック情報を転送することに関連して実行され得る動作のいくつかの例示的な態様のフローチャート。
【図８】ハンドオーバが示された場合にアクセス端末がＣＳ無線アクセス技術（ＲＡＴ）に遷移することに関連して実行され得る動作のいくつかの例示的な態様のフローチャート。
【図９】通信ノードにおいて採用され得る構成要素のいくつかの例示的な態様の簡略ブロック図。
【図１０】通信構成要素のいくつかの例示的な態様の簡略ブロック図。
【図１１】本明細書で教示する、ＣＳフォールバックを行うように構成された装置のいくつかの例示的な態様の簡略ブロック図。
【発明を実施するための形態】
【００１２】
慣例によれば、図面中に示された様々な特徴は、一定の縮尺で描かれていないことがある。したがって、様々な特徴の寸法は、わかりやすいように任意に拡大または縮小されることがある。さらに、図面のいくつかは、わかりやすいように簡略化されることがある。したがって、図面は、所与の装置（たとえば、デバイス）または方法の構成要素のすべてを示しているわけではない。最後に、明細書および図の全体にわたって同じ特徴を示すために同じ参照番号が使用されることがある。
【００１３】
本開示の様々な態様について以下で説明する。本明細書の教示は多種多様な形態で実施され得、本明細書で開示されている特定の構造、機能、またはその両方は代表的なものにすぎないことは明らかであろう。本明細書の教示に基づいて、本明細書で開示される態様は他の態様とは独立に実装され得ること、およびこれらの態様のうちの２つ以上は様々な方法で組み合わせられ得ることを、当業者なら諒解されたい。たとえば、本明細書に記載の態様をいくつ使用しても、装置を実現し、または方法を実施し得る。さらに、本明細書に記載の態様のうちの１つまたは複数に加えて、あるいはそれら以外の他の構造、機能、または構造および機能を使用して、そのような装置を実装し得、またはそのような方法を実施し得る。さらに、態様は、請求項の少なくとも１つの要素を備え得る。
【００１４】
図１に、例示的な通信システム１００（たとえば、少なくとも１つの通信ネットワークの一部）のいくつかのノードを示す。説明のために、本開示の様々な態様について、互いに通信する１つまたは複数のアクセス端末、アクセスポイントおよびネットワークエンティティのコンテキストにおいて説明する。ただし、本明細書の教示は、他のタイプの装置、または他の用語を使用して参照される他の同様の装置に適用可能であり得ることを諒解されたい。たとえば、様々な実装形態では、アクセスポイントを基地局、ノードＢ、ｅノードＢなどと呼ぶこと、または基地局、ノードＢ、ｅノードＢなどとして実装することが可能であり、アクセス端末をユーザ機器、移動局などと呼ぶことまたはユーザ機器（ＵＥ）、移動局などとして実装することが可能である。
【００１５】
システム１００中のアクセスポイントは、１つまたは複数のサービス（たとえば、ネットワーク接続性）を、システム１００のカバレージエリア内に設置されるか、またはシステム１００のカバレージエリア全体にわたってローミングする１つまたは複数のワイヤレス端末（たとえば、アクセス端末１０２）に提供する。たとえば、様々な時点で、アクセス端末１０２は、アクセスポイント１０４、アクセスポイント１０６、アクセスポイント１０８、またはシステム１００中の何らかの他のアクセスポイント（図示せず）に接続し得る。それらのアクセスポイントの各々は、ワイドエリアネットワーク接続性を可能にするために、（便宜上、ネットワークノード１１０および１１２によって表される）１つまたは複数のネットワークノードと通信し得る。
【００１６】
これらのネットワークエンティティは、たとえば、１つまたは複数の無線および／またはコアネットワークエンティティなどの様々な形態をとり得る。したがって、様々な実装形態では、ネットワークエンティティは、（たとえば、運用、アドミニストレーション、管理、およびプロビジョニングエンティティによる）ネットワーク管理、呼制御、モビリティ管理、ゲートウェイ機能、インターワーキング機能のうちの少なくとも１つなどの機能、または何らかの他の好適なネットワーク機能を表し得る。いくつかの態様では、モビリティ管理は、追跡エリア、ロケーションエリア、ルーティングエリア、またはいくつかの他の好適な技法を使用することによってアクセス端末の現在のロケーションを追跡することと、アクセス端末のページングを制御することと、アクセス端末のためのアクセス制御を行うこととに関する。また、これらのネットワークエンティティの２つ以上が共同設置され得、および／または、これらのネットワークエンティティの２つ以上がネットワーク全体にわたって分散し得る。
【００１７】
システム１００は、ハンドオーバがフォールバックプロシージャ中に行われるときでもロバストなＣＳフォールバックプロシージャを行うように適応される。図１の例では、初めに、アクセスポイント１０４は、アクセス端末１０２のためのサービングアクセスポイントである。アクセス端末１０２は、（対応する破線によって表されるように）ネットワークにメッセージを送ることによってＣＳフォールバックを開始する。図１の例では、このメッセージは、モビリティ管理エンティティ（ＭＭＥ）などのモビリティマネージャ１１４に送られる。このメッセージに応答して、モビリティマネージャ１１４は、初めに、（対応する破線によって表されるように）ＣＳフォールバックインジケータを含むメッセージを、アクセス端末１０２のための現在のサービングアクセスポイントに送る。このようにして、サービングアクセスポイントは、アクセス端末１０２のための適切なＣＳフォールバックプロシージャを開始し得る。
【００１８】
いくつかの状況では、アクセスポイント１０４は、アクセス端末１０２が別のアクセスポイントにハンドオーバされるべきであると判断し得る（または判断するのを支援し得る）。図１の例では、アクセスポイント１０４は、ハンドオーバのためのソースアクセスポイントであり、アクセスポイント１０６は、ハンドオーバのためのターゲットアクセスポイントである。したがって、アクセスポイント１０４は、機能ブロック１１６によって表されるように、このハンドオーバを開始する。
【００１９】
場合によっては、モビリティマネージャ１１４が、ＣＳフォールバックプロシージャを開始したというメッセージを受信した後、アクセス端末のハンドオーバが開始される。従来のシステムでは、アクセス端末がターゲットアクセスポイント１０６に移ると、ソースアクセスポイント１０４を介した前のＣＳフォールバックプロシージャは失われる。これにより、極めて悪いユーザエクスペリエンスが生じる。たとえば、開始されたＣＳ呼は中断され得、および／またはアクセス端末１０２は着信ＣＳ呼を受信することができないことがある。
【００２０】
そのような問題に対処するために、モビリティマネージャ１１４は、（機能ブロック１１８によって表されるように）アクセス端末１０２のハンドオーバがＣＳフォールバックプロシージャ中に行われるかどうかを判断するように構成される。この状態が識別されると、モビリティマネージャ１１４は（機能ブロック１２０および対応する破線によって表されるように）ＣＳフォールバックインジケータをもつメッセージをターゲットアクセスポイント１０６に再送する。このようにして、ターゲットアクセスポイント１０６は（機能ブロック１２２によって表されるように）ＣＳフォールバックプロシージャを続け得る。したがって、ターゲットアクセスポイント１０６は、アクセス端末１０２をＣＳ  ＲＡＴに（たとえば、アクセスポイント１０８に）ハンドオーバまたはリダイレクトし得る。
【００２１】
次に、本明細書で教示する、ＣＳフォールバックを行うために実行され得る例示的な動作について、図２のフローチャートに関連してより詳細に説明する。便宜上、図２の動作（または、本明細書で論じるかまたは教示する他の動作）については、特定の構成要素（たとえば、図１、図５、および図９の構成要素）によって実行されるものとして説明する。ただし、これらの動作は、他のタイプの構成要素によって実行され得、異なる個数の構成要素を使用して実行され得ることを諒解されたい。また、本明細書で説明する動作の１つまたは複数は、所与の実装形態では採用されない場合があることを諒解されたい。
【００２２】
いくつかのタイプのアクセス端末は、ＣＳ接続性とＰＳ接続性の両方をサポートする。したがって、そのようなアクセス端末は、ＣＳ  ＲＡＴまたはＰＳ  ＲＡＴを介してネットワークアクセスを取得し得る。さらに、いくつかのＰＳ専用ネットワークは、アクセス端末のためのＣＳフォールバックをサポートし得る。たとえば、ＰＳネットワークは、ＣＳネットワークのモバイル交換センター（ＭＳＣ）と通信するためのインターフェースを与え得る。特定の例として、３ＧＰＰ  Ｌｏｎｇ  Ｔｅｒｍ  Ｅｖｏｌｕｔｉｏｎ（ＬＴＥ）では、モビリティ管理エンティティ（ＭＭＥ）は、ＭＳＣへのＳＧｓインターフェースをサポートし得る。
【００２３】
ＣＳ対応およびＰＳ対応アクセス端末がＰＳ専用ネットワークに登録する（たとえば、ＬＴＥネットワークのＭＭＥに登録する）とき、アクセス端末は、それがＣＳネットワークにも登録することを希望することを示し得る。この場合、ＰＳネットワーク（たとえば、ＭＭＥ）はアクセス端末をＭＳＣに登録する。このようにして、アクセス端末がＰＳネットワーク上にあるとき、必要な場合にアクセス端末がＣＳ領域にフォールバックすることを可能にするための機構が与えられる。
【００２４】
ある時点において、ＰＳ  ＲＡＴ上のアクセス端末は、したがって、それがＣＳ  ＲＡＴにアクセスする必要があると判断し得る。たとえば、ＬＴＥネットワークを介して現在通信しているアクセス端末は、それがボイス通信、ＳＭＳ通信、または何らかの他のタイプのＣＳ通信のためにＣＳネットワーク（たとえば、ＧＥＲＡＮ、ＵＴＲＡＮ、またはｃｄｍａ２０００）と通信することを必要とすると判断し得る。場合によっては、アクセス端末は、アクセス端末のユーザが（たとえば、アクセス端末上でユーザ入力デバイスを作動させることによって）呼またはＳＭＳメッセージを開始した結果として、アクセス端末がＣＳアクセスを必要とすると判断する。場合によっては、アクセス端末は、ページを受信し、そのページがＣＳ領域のページであることを示す場合の結果としてＣＳアクセスを必要とすると判断する。たとえば、着信呼（またはＳＭＳメッセージ）がＭＳＣに着信したとき、ＭＳＣはＭＭＥにページを送り、次いで、ＭＭＥはＬＴＥネットワークを通してアクセス端末をページングする。
【００２５】
図２のブロック２０２によって表されるように、ＣＳネットワークへのアクセスを必要とすると判断すると、アクセス端末は、ＣＳ領域に切り替える必要があることをネットワークに通知するために、それの現在のサービングネットワークにメッセージを送る。たとえば、ＬＴＥネットワークでは、アクセス端末（すなわち、ＵＥ）は、そのアクセス端末のモビリティを管理するＭＭＥネットワークエンティティに拡張サービス要求（Extended Service Request）メッセージを送り得る。この場合、拡張サービス要求メッセージは、アクセス端末がＣＳフォールバックを望むという指示を含む。
【００２６】
ブロック２０４によって表されるように、次いで、ネットワークはアクセス端末からメッセージを受信する。たとえば、ＬＴＥネットワークでは、アクセス端末のための現在のＭＭＥは、アクセス端末のためのサービングｅノードＢを介してメッセージを受信する。
【００２７】
このメッセージを受信すると、ネットワークは、アクセス端末のためのＣＳフォールバックを行うためのアクションをとる。ブロック２０６によって表されるように、ネットワークエンティティ（たとえば、ＭＭＥ）は、アクセス端末がＣＳ  ＲＡＴにハンドオーバまたはリダイレクトされるべきであることをサービングアクセスポイントに通知するために、ＣＳフォールバックインジケータを含むメッセージをサービングアクセスポイントに送る。たとえば、ＣＳフォールバックプロシージャが開始する前にアクセス端末がアイドルモードにあった場合、ＭＭＥは、ＣＳフォールバックインジケータを含む初期コンテキストセットアップ要求（Initial Context Setup Request）をサービングアクセスポイントに送り得る。別の例として、ＣＳフォールバックプロシージャが開始する前にアクセス端末がアクティブモードにあった場合、ＭＭＥは、ＣＳフォールバックインジケータを含むＵＥコンテキスト変更要求（UE Context Modification Request）をサービングアクセスポイントに送り得る。
【００２８】
いくつかの状況では、アクセス端末のハンドオーバは、ＣＳフォールバックプロシージャ中に開始し得る。たとえば、アクセス端末からの測定報告に基づいて、サービングアクセスポイントは、アクセス端末が別のアクセスポイントによってより良くサービスされるであろうと判断することがある。この場合、サービングアクセスポイントは、アクセス端末のハンドオーバ（たとえば、Ｘ１またはＳ１ハンドオーバ）を開始し得る。したがって、ブロック２０８によって表されるように、ネットワークエンティティ（たとえば、ＭＭＥ）は、したがって、ターゲットアクセスポイントへのアクセス端末のハンドオーバが開始されたと判断する（たとえば、ネットワークエンティティは、ＣＳフォールバックプロシージャ中にアクセス端末がターゲットアクセスポイントにハンドオーバされていると判断する）。
【００２９】
ネットワークエンティティは、様々な方法でハンドオーバが開始されたと判断し得る。場合によっては、ネットワークエンティティは、ハンドオーバが進行中であること、またはハンドオーバが完了したことを示すメッセージを受信する。たとえば、Ｓ１ハンドオーバの場合、ネットワークエンティティは、サービングアクセスポイントからハンドオーバ通知（たとえば、必要とされるハンドオーバ）メッセージを受信し得る。別の例として、Ｘ２ハンドオーバの場合、ネットワークエンティティは、ターゲットアクセスポイントから経路切替え要求（path switch request）メッセージを受信し得る。
【００３０】
ネットワークエンティティは、様々な方法でＣＳフォールバック中にハンドオーバが行われていると判断し得る。たとえば、これは、ブロック２０６においてネットワークエンティティがメッセージを送った後に、ハンドオーバを示すメッセージが受信されたと判断することに関与し得る。ここで、ブロック２０６においてネットワークエンティティがメッセージを送る前に、ハンドオーバが開始され得た（たとえば、ハンドオーバを示すメッセージが送られ得た）ことを諒解されたい。
【００３１】
場合によっては、ネットワークエンティティが、ブロック２０６において送られたメッセージへの応答の代わりにハンドオーバを示すメッセージを受信したとき、ＣＳフォールバック中にハンドオーバが行われていることが示される。たとえば、ＭＭＥがＣＳフォールバックインジケータを含む初期コンテキストセットアップ要求を送った場合、初期コンテキストセットアップ応答（Initial Context Setup Response）の代わりに、ＭＭＥにおいてハンドオーバ通知または経路切替え要求メッセージを受信することは、ハンドオーバがＣＳフォールバック中に行われたことを示す。同様に、ＭＭＥがＣＳフォールバックインジケータを含むＵＥコンテキスト変更要求を送った場合、ＵＥコンテキスト変更応答（UE Context Modification Response）の代わりに、ＭＭＥにおいてハンドオーバ通知または経路切替え要求メッセージを受信することは、ハンドオーバがＣＳフォールバック中に行われたことを示す。
【００３２】
ブロック２１０によって表されるように、ブロック２０８の判断の結果として、ネットワークエンティティは、ＣＳフォールバックインジケータを含むメッセージをターゲットアクセスポイントに再送する。たとえば、ハンドオーバが完了した後に、ＭＭＥは、ＣＳフォールバックインジケータを含む初期コンテキストセットアップ要求、またはＣＳフォールバックインジケータを含むＵＥコンテキスト変更要求をターゲットアクセスポイントに送り得る。ここで、ハンドオーバの完了は、たとえば、ＭＭＥにおいて、ハンドオーバ完了メッセージ、ハンドオーバ通知メッセージ、経路切替え要求メッセージ、または何らかの他の好適なメッセージを受信することによって示され得る。
【００３３】
ブロック２１２によって表されるように、いくつかの実装形態では、ソースアクセスポイントおよびターゲットアクセスポイントに関連する異なるネットワークエンティティ（たとえば、ＭＭＥ）間のコンテキスト情報の転送をサポートし得る。たとえば、ソースアクセスポイントは第１のＭＭＥによって管理され、ターゲットアクセスポイントは第２のＭＭＥによって管理され得る。この場合、第１のＭＭＥは、ＭＭＥ変更に関係するハンドオーバがＣＳフォールバック中に行われていると判断すると、第１のＭＭＥは、アクセス端末のためのＣＳフォールバックの指示を第２のＭＭＥに送り得る。たとえば、第１のＭＭＥは、第２のＭＭＥに送られたコンテキスト情報中にＣＳフォールバックインジケータを含め得る。このようにして、第２のＭＭＥが、ハンドオーバが完了した後にＣＳフォールバックプロシージャを再開し得る。
【００３４】
ブロック２１４によって表されるように、ＣＳフォールバックインジケータをもつメッセージを受信すると、ターゲットアクセスポイントは、アクセス端末のためのＣＳフォールバックプロシージャを続ける。たとえば、ターゲットアクセスポイントは、アクセス端末にハンドオーバメッセージを送ることと、適切なＣＳアクセスポイントにコンテキスト情報を転送することとによって（たとえばＰＳハンドオーバまたはネットワーク支援セル変更（ＮＡＣＣ）を介して）アクセス端末をＣＳ  ＲＡＴにハンドオーバし得る。代替的に、ターゲットアクセスポイントは、（たとえば、無線リソース制御（ＲＲＣ）リリースメッセージをアクセス端末に送ることによって）アクセス端末をＣＳ  ＲＡＴにリダイレクトし得る。後者の場合、アクセス端末は、単にＣＳ  ＲＡＴに現れ、そこにアクセスするためのコンテキスト情報を与え得る。アクセス端末がＣＳ  ＲＡＴ（たとえば、２Ｇまたは３Ｇ）に移ると、アクセス端末は、ＣＳ呼セットアッププロシージャまたは他の適用可能なＣＳセットアッププロシージャを実行し得る。
【００３５】
ネットワークエンティティがＣＳフォールバック指示をどのように、いつ再送し得るかをさらに示すために、ＣＳフォールバックプロシージャのためのコールフローの例を示す図３を参照する。この例では、ＧＥＲＡＮまたはＵＴＲＡＮへのＣＳフォールバックがＬＴＥネットワーク中で行われる。
【００３６】
ステップ１Ａにおいて、アクセス端末（ＡＴ）がＥ−ＵＴＲＡＮネットワークに接続した後のある時点において、（たとえばＵＥまたは移動局と呼ばれることがある）アクセス端末はＭＭＥに拡張サービス要求を送る。本明細書で説明するように、拡張サービス要求は、ＣＳをサポートする別のＲＡＴに送られることをアクセス端末が望むことを示す。
【００３７】
ステップ１Ｂにおいて、ＭＭＥは、アクセス端末がＣＳフォールバックサービスを必要とすることをソースｅノードＢに通知するために、ＣＳフォールバックインジケータを含むＳ１−ＡＰメッセージをソースｅノードＢに送る。上記で説明したように、Ｓ１−ＡＰメッセージは、初期コンテキストセットアップ要求またはＵＥコンテキスト変更要求を備え得る。
【００３８】
本明細書で説明するように、ソースｅノードＢは、ＣＳフォールバックプロシージャ中にターゲットｅノードＢへのハンドオーバプロシージャを開始し得る。したがって、ＭＭＥは、ステップ１Ｂにおいてメッセージを送った後に、（たとえば、ソースｅノードＢまたはターゲットｅノードＢから）ハンドオーバの指示を受信し得る。
【００３９】
したがって、ステップ１Ｃによって表されるように、ＭＭＥは、ターゲットｅノードＢに、アクセス端末をＣＳ領域（たとえば、２Ｇまたは３Ｇ）に送らせるために、ＣＳフォールバックインジケータを含むＳ１−ＡＰメッセージをターゲットｅノードＢに再送する。この場合も、Ｓ１−ＡＰメッセージは、初期コンテキストセットアップ要求またはＵＥコンテキスト変更要求を備え得る。前者の場合、ターゲットｅノードＢは、初期コンテキストセットアップ応答で返答し、次いで、ＣＳ領域（たとえば、２Ｇまたは３Ｇ）にアクセス端末を送り得る。後者の場合、ターゲットｅノードＢは、ＵＥコンテキスト変更応答で返答し、次いで、ＣＳ領域にアクセス端末を送り得る。
【００４０】
ステップ２〜７では、アクセス端末がＣＳフォールバックのためにＧＥＲＡＮまたはＵＴＲＡＮにハンドオーバされる一実装形態で実行され得る例示的な動作について説明する。前者の場合、アクセス端末は基地局サブシステム（ＢＳＳ）にハンドオーバされるが、後者の場合、アクセス端末は無線ネットワークサブシステム（ＲＮＳ）にハンドオーバされる。
【００４１】
ステップ２は、たとえば、アクセス端末が複数のＣＳセルのカバレージ内にある場合に採用され得る随意のステップである。この場合、アクセス端末によって与えられる測定報告情報は、ＣＳフォールバックのための最良のＢＳＳセルまたはＲＮＳセルを選択するために使用され得る。代替的に、単一の既知のＣＳセルがエリア中にある場合、ターゲットｅノードＢは単にそのＣＳセルにアクセス端末を送り得る。
【００４２】
ステップ３〜７は、ＣＳ呼を完了することに関する。ステップ３において、ターゲットｅノードＢは、アクセス端末のためのコンテキスト情報をＢＳＳまたはＲＮＳに送る。ステップ４において、アクセス端末は、接続管理（ＣＭ）サービス要求を開始する。破線ブロックは、ＭＳＣが変更されるシナリオを表す。この場合、ステップ５において、ＭＳＣはＣＭサービス拒否を送り、ロケーションエリア更新または複合ルーティングエリア／ロケーションエリア（ＲＡ／ＬＡ）が実行される。ステップ６において、ＣＳ呼確立プロシージャが実行され、ステップ７においてハンドオーバが完了する。
【００４３】
特定の動作と図３の動作の順序は、代表的なものにすぎないことを諒解されたい。他の場合には、説明する動作の一部は、他のエンティティによって実行され得る。たとえば、ソースｅノードＢは、アクセス端末がターゲットアクセスポイントにハンドオーバされる必要があると決定するより前に、ＣＳフォールバック動作の一部を開始し得る。また、場合によっては、ＭＭＥは、ステップ１ＡにおいてＭＭＥがメッセージを受信した後であるが、ステップ１ＢにおいてＭＭＥがメッセージを送る前に、ハンドオーバが進行中であると判断し得る。
【００４４】
いくつかの実装形態では、ネットワークエンティティは、ソースｅノードＢからの拒否メッセージの受信に基づいて、ハンドオーバがＣＳフォールバック中に行われていると判断し得る。図４に、そのような場合にネットワークエンティティによって実行され得る動作の例が記載されている。説明のために、ＭＭＥおよびＵＥの例がここで使用されている。これらの動作は、Ｘ２ハンドオーバまたはＳ１ハンドオーバに関与する場合において採用され得る。
【００４５】
ブロック４０２によって表されるように、ＭＭＥは、ＵＥから拡張サービス要求メッセージを受信する。本明細書で説明するように、そのメッセージは、アクセス端末のためにＣＳフォールバックが行われるべきであることを示す。
【００４６】
ブロック４０４によって表されるように、ＭＭＥは、ＣＳフォールバックインジケータを含むメッセージをアクセス端末のためのソースｅノードＢに送る。たとえば、ＭＭＥは、Ｓ１インターフェースプロシージャを実行し得、それにより、ＵＥコンテキスト変更要求はソースｅノードＢに送られる。
【００４７】
この場合、ソースｅノードＢがハンドオーバを開始しているので、ソースｅノードＢは、ブロック４０４において送られたメッセージの受信に応答して拒否を返送する。たとえば、ソースｅノードＢは、アクセス端末のハンドオーバ（たとえば、Ｘ２ハンドオーバまたはＳ１ハンドオーバ）が進行中であるという指示を備えるメッセージを送り得る。したがって、ブロック４０６によって表されるように、ＭＭＥはこの拒否を受信する。
【００４８】
ブロック４０８によって表されるように、ＭＭＥは、ＣＳフォールバックインジケータを含むメッセージをターゲットｅノードＢに再送する。たとえば、ハンドオーバが完了した場合、ＭＭＥは、ＵＥコンテキスト変更要求をターゲットｅノードＢに送ることによってＳ１インターフェースプロシージャを再試行し得る。
【００４９】
上述のように、場合によっては、ソースアクセスポイントおよびターゲットアクセスポイントは、異なるネットワークエンティティ（たとえば、異なるＭＭＥ）によって管理される。図５に、そのようなシナリオの例を示す。ここで、アクセス端末５０２は、初めにアクセスポイント５０４によってサービスされる。アクセスポイント５０４は、今度は、モビリティマネージャ５０６によって管理される。ＣＳフォールバックプロシージャ中に、アクセス端末５０２をアクセスポイント５０８にハンドオーバする決定が行われる。しかしながら、アクセスポイント５０８は、モビリティマネージャ５１０によって管理される。したがって、アクセスポイント５０８においてＣＳフォールバックプロシージャを可能にするために、モビリティマネージャ５０６は、ＣＳフォールバック指示を（たとえば、アクセス端末５０２のためのコンテキスト情報とともに）モビリティマネージャ５１０に送る。次いで、モビリティマネージャ５１０は、（たとえば、ＣＳフォールバックインジケータを含むメッセージを送ることによって）アクセス端末５０２がＣＳフォールバックサービスを要求していることをアクセスポイント５０８に通知し得る。次いで、アクセスポイント５０８は、アクセス端末５０２をＣＳ  ＲＡＴに関連するアクセスポイント５１２にハンドオーバまたはダイレクトし得る。この目的で、モビリティマネージャ５１０は、アクセスポイント５１２が接続されるＣＳネットワークのネットワークエンティティ５１４（たとえば、ＭＳＣ）とのインターフェース（たとえば、ＳＧｓインターフェース）を有し得る。
【００５０】
図６〜図８に、ＣＳフォールバック中のハンドオーバに対処するために採用され得る他の技法が記載されている。
【００５１】
図６に、ネットワークエンティティ（たとえば、ＭＭＥ）がＣＳフォールバックプロシージャ中にアクセス端末のハンドオーバを阻止する方式が記載されている。この方式は、たとえば、（たとえば、Ｓ１ハンドオーバの場合）アクセスポイントからのハンドオーバメッセージがネットワークエンティティに送られる一実装形態で採用され得る。
【００５２】
ブロック６０２によって表されるように、ネットワークエンティティは、アクセス端末のためのＣＳフォールバックプロシージャを開始するメッセージを受信する。たとえば、ＭＭＥは、アクセス端末から拡張サービス要求を受信し得る。
【００５３】
ブロック６０４によって表されるように、次いで、ネットワークエンティティは、アクセス端末のためのハンドオーバ関係メッセージ（handover-related message）を受信する。たとえば、ＭＭＥは、ソースアクセスポイントからハンドオーバ通知（たとえば、必要とされるハンドオーバ）メッセージを受信し得る。したがって、ブロック６０６によって表されるように、ネットワークエンティティは、ハンドオーバがＣＳフォールバックプロシージャ中に行われていると判断する。
【００５４】
ブロック６０６の判断の結果として、ネットワークエンティティは（ブロック６０８によって表されるように）ハンドオーバプロシージャを阻止する。たとえば、ＭＭＥは、ソースアクセスポイントとターゲットアクセスポイントとの間のハンドオーバメッセージ交換を停止し得る。
【００５５】
ハンドオーバプロシージャを阻止する一方、ブロック６１０によって表されるように、ネットワークエンティティはＣＳフォールバックプロシージャを続ける。たとえば、ＭＭＥは、ＣＳフォールバックインジケータを含むＵＥコンテキスト変更要求（または他の好適なメッセージ）をソースアクセスポイントに送り得る。ここで、ソースアクセスポイントは、ＣＳフォールバックがハンドオーバよりも高い優先度を有するように構成され得る。したがって、ソースアクセスポイントは、ハンドオーバをアボートし、ＣＳフォールバックを進める。
【００５６】
図７に、ハンドオーバがＣＳフォールバック中に開始された場合に、ソースアクセスポイントがＣＳフォールバック関係コンテキスト情報（CS fallback-related context information）をターゲットアクセスポイントに転送する方式が記載されている。
【００５７】
ブロック７０２によって表されるように、アクセス端末のためのサービングアクセスポイントは、アクセス端末のためにＣＳフォールバックが開始されたと判断する。たとえば、サービングアクセスポイントは、（たとえば、アクセス端末またはネットワークエンティティから）ＣＳフォールバックインジケータを含むメッセージを受信し得る。
【００５８】
ブロック７０４によって表されるように、サービングアクセスポイントは、（たとえば、アクセス端末における現在の信号状態に基づいて）アクセス端末が別のアクセスポイントにハンドオーバされるべきであると判断する。
【００５９】
ブロック７０６によって表されるように、ハンドオーバプロシージャとＣＳフォールバックプロシージャとが同時に行われていると判断した結果として、サービングアクセスポイントは、ターゲットアクセスポイントへのアクセス端末のハンドオーバに関連して、（たとえば、進行中のＣＳフォールバックプロシージャの（フラグなどの）指示を含む）ＣＳフォールバック関係コンテキスト情報と、ネイバー測定情報とをターゲットアクセスポイントに転送する。Ｘ２ハンドオーバの場合、このＣＳフォールバック関係情報は、ハンドオーバ準備プロシージャ中にアクセスポイント間で直接通信され得る。Ｓ１ハンドオーバの場合、この情報は、ソースアクセスポイントターゲットアクセスポイント間トランスペアレントコンテナ（source access point to target access point transparent container）中に含まれ得る。
【００６０】
ブロック７０８によって表されるように、ＣＳフォールバック関係情報を受信した結果として、ターゲットアクセスは、アクセス端末のためのＣＳフォールバックプロシージャを続ける。たとえば、ターゲットアクセスポイントは、ソースアクセスポイントがハンドオーバのためにＣＳフォールバックプロシージャを休止した時点から、ＣＳフォールバックプロシージャを再開し得る。
【００６１】
場合によっては、図７の方式は、アクセス端末にパイロット測定を再び実行するように要求することに関与し得る。この場合、アクセス端末は、新しい測定を実行した後に、新しい測定報告情報を与え得るか、またはアクセス端末は、以前の測定後に記憶された測定報告情報を単に送り得る。
【００６２】
図８に、アクセス端末がＣＳフォールバック中に開始されたハンドオーバを障害として扱う方式が記載されている。ブロック８０２によって表されるように、アクセス端末は（たとえば、上記で説明したように）ＣＳフォールバックを開始する。ブロック８０４によって表されるように、アクセス端末は、ターゲットアクセスポイントに遷移するようにアクセス端末に指示するハンドオーバメッセージを受信する。ブロック８０６によって表されるように、アクセス端末のためにＣＳフォールバックが呼び出されたので、アクセス端末はハンドオーバを障害であると見なす。ここで、この決定は、たとえば、（たとえば、ネットワークエンティティを介して事業者によって）アクセス端末中にハードコーディングされるか、またはアクセス端末中にプロビジョニングされる判断基準（たとえば、フラグ）に基づき得る。ブロック８０８によって表されるように、ハンドオーバを障害であると見なした結果として、ＣＳ呼セットアップまたは他の好適なＣＳセットアップ動作を実行するために、アクセス端末は、ＣＳ対応ＲＡＴ（たとえば、ＧＥＲＡＮ、ＵＴＲＡＮ、ｃｄｍａ２０００）に自律的に遷移する。
【００６３】
場合によっては、アクセス端末は、インターアクセスポイントハンドオーバのためにのみ、図８の動作を呼び出すように構成され得る。ここで、アクセス端末が（たとえば、ソースセルのセルグローバル識別子とターゲットセルのセルグローバル識別子とを比較することによって）ハンドオーバがイントラアクセスポイントであると判断した場合、アクセス端末は、ネットワークからのさらなるＣＳフォールバックプロシージャを待ちながらターゲットセルにとどまり得る。
【００６４】
図９に、本明細書で教示するＣＳフォールバック動作をサポートするために、（たとえば、モビリティマネージャ１１４に対応する）ネットワークエンティティ９０２などのノードに組み込まれ得るいくつかの例示的な構成要素を示す。説明する構成要素は、通信システム中の他のノードに組み込まれ得る。たとえば、システム中の他のノードは、同様の機能を与えるために、ネットワークエンティティ９０２に関して説明する構成要素と同様の構成要素を含み得る。また、所与のノードは、記載の構成要素のうちの１つまたは複数を含み得る。
【００６５】
ネットワークエンティティ９０２は、他のノード（たとえば、他のネットワークノード）と通信するためのネットワークインターフェース９０４を含む。たとえば、ネットワークインターフェース９０４は、ワイヤベースまたはワイヤレスバックホールを介して１つまたは複数のネットワークノードと通信するように構成され得る。いくつかの態様では、ネットワークインターフェース９０４は、ワイヤベースまたはワイヤレス通信をサポートするように構成されたトランシーバとして実装され得る。この目的で、ネットワークインターフェース９０４は、（たとえば、メッセージと指示とを送信するための）送信機構成要素９０６と、（たとえば、メッセージと指示とを受信するための）受信機構成要素９０８とを含むものとして示される。
【００６６】
また、ネットワークエンティティ９０２は、本明細書で教示するＣＳフォールバック動作に関連して使用され得る他の構成要素を含む。たとえば、ネットワークエンティティ９０２は、ＣＳフォールバック関係プロシージャ（たとえば、ＣＳフォールバックインジケータを含むメッセージを送ること、アクセス端末のハンドオーバが開始されたという判断の結果としてＣＳフォールバックインジケータを含むメッセージを再送すること、ＣＳフォールバックの指示をモビリティ管理エンティティに送ること）を実行するための、および本明細書で教示する他の関係機能を与えるためのＣＳフォールバックコントローラ９１０を含む。さらに、ネットワークエンティティ９０２は、ハンドオーバ関係プロシージャ（たとえば、アクセス端末のハンドオーバが開始されたと判断すること）を実行するための、および本明細書で教示する他の関係機能を与えるためのハンドオーバコントローラ９１２を含む。
【００６７】
いくつかの実装形態では、図９の構成要素は、（たとえば、その各々が、この機能を与えるためにプロセッサによって使用される情報またはコードを記憶するためにデータメモリを使用し、および／または組み込む）１つまたは複数のプロセッサ中に実装され得る。たとえば、ブロック９０４の機能の一部、ならびにブロック９１０および９１２の機能の一部または全部は、ネットワークエンティティの１つまたは複数のプロセッサとネットワークエンティティのデータメモリとによって（たとえば、適切なコードの実行によっておよび／またはプロセッサ構成要素の適切な構成によって）実装され得る。
【００６８】
また、関係する機能は、システム中のアクセス端末およびアクセスポイント中に与えられ得る。たとえば、アクセス端末およびアクセスポイントは、互いと通信するための、および他のノード（たとえば、ネットワークエンティティ）と通信するためのそれぞれのトランシーバを含み得る。各トランシーバは、信号（たとえば、メッセージおよび指示）を送るための送信機と、そのような信号を受信するための受信機３０８とを含む。さらに、アクセス端末およびアクセスポイントは、本明細書で教示するように、ＣＳフォールバック関係プロシージャを実行するためのＣＳフォールバックコントローラと、ハンドオーバ関係プロシージャを実行するためのハンドオーバコントローラとを含み得る。さらに、これらのアクセス端末およびアクセスポイントの構成要素は、（たとえば、その各々が、この機能を与えるためにプロセッサによって使用される情報またはコードを記憶するためにデータメモリを使用し、および／または組み込む）１つまたは複数のプロセッサ中に実装され得る。
【００６９】
本明細書の教示は、複数のワイヤレスアクセス端末のための通信を同時にサポートするワイヤレス多元接続通信システムにおいて採用され得る。ここで、各端末は、順方向リンクおよび逆方向リンク上の送信を介して１つまたは複数のアクセスポイントと通信し得る。順方向リンク（すなわち、ダウンリンク）は、アクセスポイントから端末への通信リンクを指し、逆方向リンク（すなわち、アップリンク）は、端末からアクセスポイントへの通信リンクを指す。この通信リンクは、単入力単出力システム、多入力多出力（ＭＩＭＯ）システム、または何らかの他のタイプのシステムを介して確立され得る。
【００７０】
ＭＩＭＯシステムは、データ送信用の複数（ＮT）個の送信アンテナと複数（ＮR）個の受信アンテナとを採用する。ＮT個の送信アンテナとＮR個の受信アンテナとによって形成されるＭＩＭＯチャネルは、空間チャネルとも呼ばれるＮS個の独立チャネルに分解され得、ＮS≦ｍｉｎ｛ＮT，ＮR｝である。ＮS個の独立チャネルの各々は１つの次元に対応する。複数の送信アンテナおよび受信アンテナによって生じる追加の次元数が利用された場合、ＭＩＭＯシステムは改善されたパフォーマンス（たとえば、より高いスループットおよび／またはより大きい信頼性）を与え得る。
【００７１】
ＭＩＭＯシステムは時分割複信（ＴＤＤ）と周波数分割複信（ＦＤＤ）とをサポートし得る。ＴＤＤシステムでは、順方向リンク送信と逆方向リンク送信とが同じ周波数領域上で行われるので、相反定理により逆方向リンクチャネルからの順方向リンクチャネルの推定が可能である。これにより、複数のアンテナがアクセスポイントで利用可能なとき、アクセスポイントは順方向リンク上で送信ビームフォーミング利得を抽出することが可能になる。
【００７２】
図１０に、例示的なＭＩＭＯシステム１０００のワイヤレスデバイス１０１０（たとえば、アクセスポイント）およびワイヤレスデバイス１０５０（たとえば、アクセス端末）を示す。デバイス１０１０では、いくつかのデータストリームのトラフィックデータが、データソース１０１２から送信（ＴＸ）データプロセッサ１０１４に供給される。各データストリームは、次いで、それぞれの送信アンテナを介して送信され得る。
【００７３】
ＴＸデータプロセッサ１０１４は、符号化データを与えるために、各データストリームのトラフィックデータを、そのデータストリーム用に選択された特定の符号化方式に基づいてフォーマットし、符号化し、インターリーブする。各データストリームの符号化データは、ＯＦＤＭ技法を使用してパイロットデータで多重化され得る。パイロットデータは、典型的には、知られている方法で処理され、チャネル応答を推定するために受信機システムにおいて使用され得る知られているデータパターンである。次いで、各データストリームの多重化されたパイロットデータおよび符号化データは、変調シンボルを与えるために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、符号化、および変調は、プロセッサ１０３０によって実行される命令によって判断され得る。データメモリ１０３２は、プロセッサ１０３０またはデバイス１０１０の他の構成要素によって使用されるプログラムコード、データ、および他の情報を記憶し得る。
【００７４】
次いで、すべてのデータストリームの変調シンボルがＴＸ  ＭＩＭＯプロセッサ１０２０に供給され、ＴＸ  ＭＩＭＯプロセッサ１０２０はさらに（たとえば、ＯＦＤＭ用に）その変調シンボルを処理し得る。ＴＸ  ＭＩＭＯプロセッサ１０２０は、次いで、ＮT個の変調シンボルストリームを、ＮT個のトランシーバ（ＸＣＶＲ）１０２２Ａ〜１０２２Ｔに供給する。いくつかの態様では、ＴＸ  ＭＩＭＯプロセッサ１０２０は、データストリームのシンボルと、シンボルの送信元のアンテナとにビームフォーミング重みを付加する。
【００７５】
各トランシーバ１０２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した変調信号を与える。次いで、トランシーバ１０２２Ａ〜１０２２ＴからのＮT個の変調信号は、それぞれＮT個のアンテナ１０２４Ａ〜１０２４Ｔから送信される。
【００７６】
デバイス１０５０では、送信された変調信号はＮR個のアンテナ１０５２Ａ〜１０５２Ｒによって受信され、各アンテナ１０５２からの受信信号は、それぞれのトランシーバ（ＸＣＶＲ）１０５４Ａ〜１０５４Ｒに供給される。各トランシーバ１０５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【００７７】
次いで、受信（ＲＸ）データプロセッサ１０６０は、特定の受信機処理技法に基づいてＮR個のトランシーバ１０５４からＮR個の受信シンボルストリームを受信し、処理して、ＮT個の「検出」シンボルストリームを供給する。次いで、ＲＸデータプロセッサ１０６０は、各検出シンボルストリームを復調し、デインターリーブし、復号して、データストリームに対するトラフィックデータを復元する。ＲＸデータプロセッサ１０６０による処理は、デバイス１０１０におけるＴＸ  ＭＩＭＯプロセッサ１０２０およびＴＸデータプロセッサ１０１４によって実行される処理を補足するものである。
【００７８】
プロセッサ１０７０は、どのプリコーディング行列を使用すべきかを周期的に判断する（後述）。プロセッサ１０７０は、行列インデックス部（matrix index portion）とランク値部（rank value portion）とを備える逆方向リンクメッセージを作成する。データメモリ１０７２は、プロセッサ１０７０またはデバイス１０５０の他の構成要素によって使用されるプログラムコード、データ、および他の情報を記憶し得る。
【００７９】
逆方向リンクメッセージは、通信リンクおよび／または受信データストリームに関する様々なタイプの情報を備え得る。次いで、逆方向リンクメッセージは、データソース１０３６からいくつかのデータストリームのトラフィックデータをも受信するＴＸデータプロセッサ１０３８によって処理され、変調器１０８０によって変調され、トランシーバ１０５４Ａ〜１０５４Ｒによって調整され、デバイス１０１０に戻される。
【００８０】
デバイス１０１０では、デバイス１０５０からの変調信号は、アンテナ１０２４によって受信され、トランシーバ１０２２によって調整され、復調器（ＤＥＭＯＤ）１０４０によって復調され、ＲＸデータプロセッサ１０４２によって処理されて、デバイス１０５０によって送信された逆方向リンクメッセージが抽出される。次いで、プロセッサ１０３０は、ビームフォーミング重みを判断するためにどのプリコーディング行列を使用すべきかを判断し、次いで、抽出されたメッセージを処理する。
【００８１】
図１０はまた、通信構成要素が、本明細書で教示するＣＳフォールバック制御動作を実行する１つまたは複数の構成要素を含み得ることを示す。たとえば、ＣＳフォールバック制御構成要素１０９０は、プロセッサ１０３０および／またはデバイス１０１０の他の構成要素と協働して、本明細書で教示する別のデバイス（たとえば、デバイス１０５０）のためのＣＳフォールバックプロシージャを支援し得る。同様に、ＣＳフォールバック制御構成要素１０９２は、プロセッサ１０７０および／またはデバイス１０５０の他の構成要素と協働して、別のデバイス（たとえば、デバイス１０１０）とのＣＳフォールバックを開始および／または実行し得る。各デバイス１０１０および１０５０について、説明する構成要素の２つ以上の機能が単一の構成要素によって提供され得ることを諒解されたい。たとえば、単一の処理構成要素がＣＳフォールバック制御構成要素１０９０およびプロセッサ１０３０の機能を提供し得、単一の処理構成要素がＣＳフォールバック制御構成要素１０９２およびプロセッサ１０７０の機能を提供し得る。
【００８２】
本明細書の教示は、様々なタイプの通信システムおよび／またはシステム構成要素に組み込まれ得る。いくつかの態様では、本明細書の教示は、利用可能なシステムリソースを共有することによって（たとえば、帯域幅、送信電力、符号化、インターリーブなどのうちの１つまたは複数を指定することによって）、複数のユーザとの通信をサポートすることが可能な多元接続システムにおいて採用され得る。たとえば、本明細書の教示は、符号分割多元接続（ＣＤＭＡ）システム、多重キャリアＣＤＭＡ（ＭＣＣＤＭＡ）、広帯域ＣＤＭＡ（Ｗ−ＣＤＭＡ）、高速パケットアクセス（ＨＳＰＡ、ＨＳＰＡ＋）システム、時間分割多元接続（ＴＤＭＡ）システム、周波数分割多元接続（ＦＤＭＡ）システム、シングルキャリアＦＤＭＡ（ＳＣ−ＦＤＭＡ）システム、直交周波数分割多元接続（ＯＦＤＭＡ）システム、または他の多元接続技法の技術のいずれか１つまたは組合せに適用され得る。本明細書の教示を採用するワイヤレス通信システムは、ＩＳ−９５、ｃｄｍａ２０００、ＩＳ−８５６、Ｗ−ＣＤＭＡ、ＴＤＳＣＤＭＡ、および他の規格など、１つまたは複数の規格を実装するように設計され得る。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００、または何らかの他の技術などの無線技術を実装し得る。ＵＴＲＡは、Ｗ−ＣＤＭＡおよび低チップレート（ＬＣＲ）を含む。ｃｄｍａ２０００技術は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実装し得る。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装し得る。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。本明細書の教示は、３ＧＰＰ  Ｌｏｎｇ  Ｔｅｒｍ  Ｅｖｏｌｕｔｉｏｎ（ＬＴＥ）システム、Ｕｌｔｒａ  Ｍｏｂｉｌｅ  Ｂｒｏａｄｂａｎｄ（ＵＭＢ）システム、および他のタイプのシステムで実装され得る。ＬＴＥは、Ｅ−ＵＴＲＡを使用するＵＭＴＳのリリースである。ＵＴＲＡ、ＧＳＭ、Ｅ−ＵＴＲＡ、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）と呼ばれる組織からの文書に記載されているが、ｃｄｍａ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と呼ばれる組織からの文書に記載されている。本開示のいくつかの態様については、３ＧＰＰ用語を使用して説明するが、本明細書の教示は、３ＧＰＰ（たとえば、Ｒｅｌ９９、Ｒｅｌ５、Ｒｅｌ６、Ｒｅｌ７）技術、ならびに３ＧＰＰ２（たとえば、１ｘＲＴＴ、１ｘＥＶ−ＤＯ  ＲｅｌＯ、ＲｅｖＡ、ＲｅｖＢ）技術および他の技術に適用され得ることを理解されたい。
【００８３】
本明細書の教示は、様々な装置（たとえば、ノード）に組み込まれ得る（たとえば、装置内に実装され得る、または装置によって実行され得る）。いくつかの態様では、本明細書の教示に従って実装されるノード（たとえば、ワイヤレスノード）はアクセスポイントまたはアクセス端末を備え得る。
【００８４】
たとえば、アクセス端末は、ユーザ機器、加入者局、加入者ユニット、移動局、モバイル、モバイルノード、リモート局、リモート端末、ユーザ端末、ユーザエージェント、ユーザデバイス、または何らかの他の用語を備えるか、それらのいずれかとして実装されるか、あるいはそれらのいずれかとして知られることがある。いくつかの実装形態では、アクセス端末は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続能力を有するハンドヘルドデバイス、またはワイヤレスモデムに接続された何らかの他の好適な処理デバイスを備え得る。したがって、本明細書で教示する１つまたは複数の態様は、電話（たとえば、セルラー電話またはスマートフォン）、コンピュータ（たとえば、ラップトップ）、携帯型通信デバイス、携帯型コンピューティングデバイス（たとえば、個人情報端末）、娯楽デバイス（たとえば、音楽デバイス、ビデオデバイス、または衛星ラジオ）、全地球測位システムデバイス、あるいはワイヤレス媒体を介して通信するように構成された他の好適なデバイスに組み込まれ得る。
【００８５】
アクセスポイントは、ノードＢ、ｅノードＢ、無線ネットワークコントローラ（ＲＮＣ）、基地局（ＢＳ）、無線基地局（ＲＢＳ）、基地局コントローラ（ＢＳＣ）、送受信基地局（ＢＴＳ）、トランシーバ機能（ＴＦ）、無線トランシーバ、無線ルータ、基本サービスセット（ＢＳＳ）、拡張サービスセット（ＥＳＳ）、マクロセル、マクロノード、ホームｅＮＢ（ＨｅＮＢ）、フェムトセル、フェムトノード、ピコノード、または何らかの他の同様の用語を備えるか、それらのいずれかとして実装されるか、あるいはそれらのいずれかとして知られ得る。
【００８６】
いくつかの態様では、ノード（たとえば、アクセスポイント）は、通信システムのためのアクセスノードを備え得る。そのようなアクセスノードは、たとえば、ネットワークへのワイヤードまたはワイヤレス通信リンクを介した、ネットワーク（たとえば、インターネットまたはセルラーネットワークなどワイドエリアネットワーク）のための、またはネットワークへの接続性を与え得る。したがって、アクセスノードは、別のノード（たとえば、アクセス端末）がネットワークまたは何らかの他の機能にアクセスできるようにし得る。さらに、一方または両方のノードはポータブルでも、場合によっては比較的非ポータブルでもよいことを諒解されたい。
【００８７】
また、ワイヤレスノードは、非ワイヤレス方式で（たとえば、ワイヤード接続を介して）情報を送信および／または受信することが可能であり得ることを諒解されたい。したがって、本明細書で説明する受信機および送信機は、非ワイヤレス媒体を介して通信するために適切な通信インターフェース構成要素（たとえば、電気的または光学的インターフェース構成要素）を含み得る。
【００８８】
ワイヤレスノードは、好適なワイヤレス通信技術に基づくあるいはサポートする１つまたは複数のワイヤレス通信リンクを介して通信し得る。たとえば、いくつかの態様では、ワイヤレスノードはネットワークに関連し得る。いくつかの態様では、ネットワークはローカルエリアネットワークまたはワイドエリアネットワークを備え得る。ワイヤレスデバイスは、本明細書で説明する様々なワイヤレス通信技術、プロトコル、または規格（たとえば、ＣＤＭＡ、ＴＤＭＡ、ＯＦＤＭ、ＯＦＤＭＡ、ＷｉＭＡＸ（登録商標）、Ｗｉ−Ｆｉ（登録商標）など）のうちの１つまたは複数をサポートまたは使用し得る。同様に、ワイヤレスノードは、様々な対応する変調方式または多重化方式のうちの１つまたは複数をサポートまたは使用し得る。したがって、ワイヤレスノードは、上記または他のワイヤレス通信技術を使用して１つまたは複数のワイヤレス通信リンクを確立し、それを介して通信するために適切な構成要素（たとえば、エアインターフェース）を含み得る。たとえば、ワイヤレスノードは、ワイヤレス媒体上の通信を可能にする様々な構成要素（たとえば、信号生成器および信号処理器）を含み得る関連する送信機構成要素および受信機構成要素をもつワイヤレストランシーバを備え得る。
【００８９】
（たとえば、添付の図の１つまたは複数に関して）本明細書で説明する機能は、いくつかの態様では、添付の特許請求の範囲において同様に指定された「手段」機能に対応し得る。図１１を参照すると、装置１１００は一連の相互に関係する機能モジュールとして表される。ここで、たとえば、メッセージ送信モジュール１１０２は、少なくともいくつかの態様では、本明細書で説明する回線交換フォールバックコントローラに対応し得る。アクセス端末ハンドオーバ開始判断モジュール１１０４は、少なくともいくつかの態様では、たとえば、本明細書で説明するハンドオーバコントローラに対応し得る。メッセージ再送モジュール１１０６は、少なくともいくつかの態様では、たとえば、本明細書で説明する回線交換フォールバックコントローラに対応し得る。指示送信モジュール１１０８は、少なくともいくつかの態様では、たとえば、本明細書で説明する回線交換フォールバックコントローラに対応し得る。
【００９０】
図１１のモジュールの機能は、本明細書の教示に一致する様々な方法で実装され得る。いくつかの態様では、これらのモジュールの機能は、１つまたは複数の電気構成要素として実装され得る。いくつかの態様では、これらのブロックの機能は、１つまたは複数のプロセッサ構成要素を含む処理システムとして実装され得る。いくつかの態様では、これらのモジュールの機能は、たとえば、１つまたは複数の集積回路（たとえば、ＡＳＩＣ）の少なくとも一部分を使用して実装され得る。本明細書で説明するように、集積回路は、プロセッサ、ソフトウェア、他の関係する構成要素、またはそれらの何らかの組合せを含み得る。これらのモジュールの機能はまた、本明細書で教示する方法とは別の何らかの方法で実装され得る。いくつかの態様では、図１１中の１つまたは複数の破線ブロックは随意である。
【００９１】
本明細書における「第１」、「第２」などの名称を使用した要素への言及は、それらの要素の数量または順序を概括的に限定するものでないことを理解されたい。むしろ、これらの名称は、本明細書において２つ以上の要素またはある要素の複数の例を区別する便利な方法として使用され得る。したがって、第１および第２の要素への言及は、そこで２つの要素のみが採用され得ること、または第１の要素が何らかの方法で第２の要素に先行しなければならないことを意味するものではない。また、別段の規定がない限り、要素のセットは１つまたは複数の要素を備え得る。さらに、明細書または特許請求の範囲において使用される「Ａ、Ｂ、またはＣのうちの少なくとも１つ」という形式の用語は、「ＡまたはＢまたはＣ、あるいはこれらの要素の任意の組合せ」を意味する。
【００９２】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００９３】
さらに、本明細書で開示した態様に関して説明した様々な例示的な論理ブロック、モジュール、プロセッサ、手段、回路、およびアルゴリズムステップのいずれかは、電子ハードウェア（たとえば、ソースコーディングまたは何らかの他の技法を使用して設計され得る、デジタル実装形態、アナログ実装形態、またはそれら２つの組合せ）、命令を組み込んだ様々な形態のプログラムまたは設計コード（便宜上、本明細書では「ソフトウェア」または「ソフトウェアモジュール」と呼ぶことがある）、あるいは両方の組合せとして実装され得ることを当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課せられた設計制約に依存する。当業者は、説明した機能を特定の適用例ごとに様々な方法で実装し得るが、そのような実装の決定は、本開示の範囲からの逸脱を生じるものと解釈すべきではない。
【００９４】
本明細書で開示した態様に関して説明した様々な例示的な論理ブロック、モジュール、および回路は、集積回路（ＩＣ）、アクセス端末、またはアクセスポイント内に実装され得るか、またはそれらによって実行され得る。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、電気構成要素、光学構成要素、機械構成要素、または本明細書で説明する機能を実行するように設計されたそれらの任意の組合せを備え得、ＩＣの内部に、ＩＣの外側に、またはその両方に常駐するコードまたは命令を実行し得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００９５】
開示されたプロセス中のステップの特定の順序または階層は、例示的な手法の一例であることを理解されたい。設計の選好に基づいて、プロセス中のステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【００９６】
１つまたは複数の例示的な実施形態では、説明した機能はハードウェア、ソフトウェア、ファームウェア、またはそれらの任意の組合せで実装され得る。ソフトウェアで実装した場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。コンピュータ可読媒体は任意の好適なコンピュータプログラム製品に実装され得ることを諒解されたい。
【００９７】
開示する態様の前述の説明は、当業者が本開示を実施または使用できるように与えたものである。これらの態様への様々な修正は当業者にはすぐに明らかになり、本明細書で定義した一般原理は本開示の範囲から逸脱することなく他の態様に適用され得る。したがって、本開示は、本明細書で示した態様に限定されるものではなく、本明細書で開示した原理および新規の特徴に一致する最も広い範囲を与えられるべきである。
以下に本願発明の当初の特許請求の範囲に記載された発明を付記する。
［Ｃ１］
第１のアクセスポイントにメッセージを送ることであって、前記メッセージが、アクセス端末に関連する回線交換フォールバックインジケータを含む、送ることと、
前記メッセージが前記第１のアクセスポイントに送られた後に、前記第１のアクセスポイントから第２のアクセスポイントへの前記アクセス端末のハンドオーバが開始されたと判断することと、
前記判断の結果として前記第２のアクセスポイントにメッセージを送ることであって、前記第２のアクセスポイントに送られる前記メッセージが、前記アクセス端末に関連する前記回線交換フォールバックインジケータを含む、送ることとを備える、通信の方法。
［Ｃ２］
前記第１のアクセスポイントに送られる前記メッセージがＵＥコンテキスト変更要求を備える、Ｃ１に記載の方法。
［Ｃ３］
前記第１のアクセスポイントに送られる前記メッセージが初期コンテキストセットアップ要求を備える、Ｃ１に記載の方法。
［Ｃ４］
前記判断が、前記アクセス端末の前記ハンドオーバを示す別のメッセージを受信することを備える、Ｃ１に記載の方法。
［Ｃ５］
前記別のメッセージがハンドオーバ通知メッセージを備える、Ｃ４に記載の方法。
［Ｃ６］
前記別のメッセージが経路切替え要求メッセージを備える、Ｃ４に記載の方法。
［Ｃ７］
前記第１のアクセスポイントに送られる前記メッセージと前記第２のアクセスポイントに送られる前記メッセージとが、前記回線交換フォールバックインジケータを含むＵＥコンテキスト変更要求を備える、Ｃ１に記載の方法。
［Ｃ８］
前記第２のアクセスポイントに前記メッセージを前記送ることが、前記アクセス端末の前記ハンドオーバが完了した場合に前記第２のアクセスポイントに前記メッセージを送ることを備える、Ｃ１に記載の方法。
［Ｃ９］
前記ハンドオーバが開始されたという前記判断は、ハンドオーバ通知メッセージの受信に基づいて前記ハンドオーバが完了したと判断することを備える、Ｃ１に記載の方法。
［Ｃ１０］
前記ハンドオーバが開始されたという前記判断は、経路切替え要求メッセージの受信に基づいて前記ハンドオーバが完了したと判断することを備える、Ｃ１に記載の方法。
［Ｃ１１］
前記判断の結果として、前記第１のアクセスポイントに関連する第１のモビリティ管理エンティティから、前記第２のアクセスポイントに関連する第２のモビリティ管理エンティティに前記アクセス端末のための回線交換フォールバックの指示を送ることをさらに備える、Ｃ１に記載の方法。
［Ｃ１２］
前記指示が、前記第１のモビリティ管理エンティティから前記第２のモビリティ管理エンティティに送られるコンテキスト情報中に含まれる、Ｃ１１に記載の方法。
［Ｃ１３］
前記判断が、前記第１のアクセスポイントに送られる前記メッセージに対する拒否を受信することを備え、
前記拒否は、前記ハンドオーバが進行中であるという指示を備える、Ｃ１に記載の方法。
［Ｃ１４］
前記第１のアクセスポイントに前記メッセージを前記送ることが、Ｓ１インターフェースプロシージャを備え、
前記判断が、前記Ｓ１インターフェースプロシージャに対する拒否を受信することを備え、
前記拒否は、前記ハンドオーバが進行中であるという指示を備える、Ｃ１に記載の方法。
［Ｃ１５］
前記第２のアクセスポイントに前記メッセージを前記送ることが、前記ハンドオーバが完了した場合に前記第２のアクセスポイントとの前記Ｓ１インターフェースプロシージャを再試行することを備える、Ｃ１４に記載の方法。
［Ｃ１６］
第１のアクセスポイントにメッセージを送るように構成された回線交換フォールバックコントローラであって、前記メッセージが、アクセス端末に関連する回線交換フォールバックインジケータを含む、回線交換フォールバックコントローラと、
前記メッセージが前記第１のアクセスポイントに送られた後に、前記第１のアクセスポイントから第２のアクセスポイントへの前記アクセス端末のハンドオーバが開始されたと判断するように構成されたハンドオーバコントローラとを備え、
前記回線交換フォールバックコントローラが、前記判断の結果として前記第２のアクセスポイントにメッセージを送るようにさらに構成され、前記第２のアクセスポイントに送られる前記メッセージが、前記アクセス端末に関連する前記回線交換フォールバックインジケータを含む、通信のための装置。
［Ｃ１７］
前記第１のアクセスポイントに送られる前記メッセージがＵＥコンテキスト変更要求を備える、Ｃ１６に記載の装置。
［Ｃ１８］
前記第１のアクセスポイントに送られる前記メッセージが初期コンテキストセットアップ要求を備える、Ｃ１６に記載の装置。
［Ｃ１９］
前記判断が、前記アクセス端末の前記ハンドオーバを示す別のメッセージを受信することを備える、Ｃ１６に記載の装置。
［Ｃ２０］
前記別のメッセージがハンドオーバ通知メッセージを備える、Ｃ１９に記載の装置。
［Ｃ２１］
前記別のメッセージが経路切替え要求メッセージを備える、Ｃ１９に記載の装置。
［Ｃ２２］
前記第１のアクセスポイントに送られる前記メッセージと前記第２のアクセスポイントに送られる前記メッセージとが、前記回線交換フォールバックインジケータを含むＵＥコンテキスト変更要求を備える、Ｃ１６に記載の装置。
［Ｃ２３］
前記第２のアクセスポイントに前記メッセージを前記送ることが、前記アクセス端末の前記ハンドオーバが完了した場合に前記第２のアクセスポイントに前記メッセージを送ることを備える、Ｃ１６に記載の装置。
［Ｃ２４］
前記ハンドオーバが開始されたという前記判断は、ハンドオーバ通知メッセージの受信に基づいて前記ハンドオーバが完了したと判断することを備える、Ｃ１６に記載の装置。
［Ｃ２５］
前記ハンドオーバが開始されたという前記判断は、経路切替え要求メッセージの受信に基づいて前記ハンドオーバが完了したと判断することを備える、Ｃ１６に記載の装置。
［Ｃ２６］
前記回線交換フォールバックコントローラが、前記判断の結果として、前記第１のアクセスポイントに関連する第１のモビリティ管理エンティティから、前記第２のアクセスポイントに関連する第２のモビリティ管理エンティティに前記アクセス端末のための回線交換フォールバックの指示を送るようにさらに構成された、Ｃ１６に記載の装置。
［Ｃ２７］
前記指示が、前記第１のモビリティ管理エンティティから前記第２のモビリティ管理エンティティに送られるコンテキスト情報中に含まれる、Ｃ２６に記載の装置。
［Ｃ２８］
前記判断が、前記第１のアクセスポイントに送られる前記メッセージに対する拒否を受信することを備え、
前記拒否は、前記ハンドオーバが進行中であるという指示を備える、Ｃ１６に記載の装置。
［Ｃ２９］
前記第１のアクセスポイントに前記メッセージを前記送ることが、Ｓ１インターフェースプロシージャを備え、
前記判断が、前記Ｓ１インターフェースプロシージャに対する拒否を受信することを備え、
前記拒否は、前記ハンドオーバが進行中であるという指示を備える、Ｃ１６に記載の装置。
［Ｃ３０］
前記第２のアクセスポイントに前記メッセージを前記送ることが、前記ハンドオーバが完了した場合に前記第２のアクセスポイントとの前記Ｓ１インターフェースプロシージャを再試行することを備える、Ｃ２９に記載の装置。
［Ｃ３１］
第１のアクセスポイントにメッセージを送るための手段であって、前記メッセージが、アクセス端末に関連する回線交換フォールバックインジケータを含む、送るための手段と、
前記メッセージが前記第１のアクセスポイントに送られた後に、前記第１のアクセスポイントから第２のアクセスポイントへの前記アクセス端末のハンドオーバが開始されたと判断するための手段と、
前記判断の結果として前記第２のアクセスポイントにメッセージを送るための手段であって、前記第２のアクセスポイントに送られる前記メッセージが、前記アクセス端末に関連する前記回線交換フォールバックインジケータを含む、送るための手段とを備える、通信のための装置。
［Ｃ３２］
前記第１のアクセスポイントに送られる前記メッセージがＵＥコンテキスト変更要求を備える、Ｃ３１に記載の装置。
［Ｃ３３］
前記第１のアクセスポイントに送られる前記メッセージが初期コンテキストセットアップ要求を備える、Ｃ３１に記載の装置。
［Ｃ３４］
前記判断が、前記アクセス端末の前記ハンドオーバを示す別のメッセージを受信することを備える、Ｃ３１に記載の装置。
［Ｃ３５］
前記別のメッセージがハンドオーバ通知メッセージを備える、Ｃ３４に記載の装置。
［Ｃ３６］
前記別のメッセージが経路切替え要求メッセージを備える、Ｃ３４に記載の装置。
［Ｃ３７］
前記第１のアクセスポイントに送られる前記メッセージと前記第２のアクセスポイントに送られる前記メッセージとが、前記回線交換フォールバックインジケータを含むＵＥコンテキスト変更要求を備える、Ｃ３１に記載の装置。
［Ｃ３８］
前記第２のアクセスポイントに前記メッセージを前記送ることが、前記アクセス端末の前記ハンドオーバが完了した場合に前記第２のアクセスポイントに前記メッセージを送ることを備える、Ｃ３１に記載の装置。
［Ｃ３９］
前記ハンドオーバが開始されたという前記判断は、ハンドオーバ通知メッセージの受信に基づいて前記ハンドオーバが完了したと判断することを備える、Ｃ３１に記載の装置。
［Ｃ４０］
前記ハンドオーバが開始されたという前記判断は、経路切替え要求メッセージの受信に基づいて前記ハンドオーバが完了したと判断することを備える、Ｃ３１に記載の装置。
［Ｃ４１］
前記判断の結果として、前記第１のアクセスポイントに関連する第１のモビリティ管理エンティティから、前記第２のアクセスポイントに関連する第２のモビリティ管理エンティティに前記アクセス端末のための回線交換フォールバックの指示を送るための手段をさらに備える、Ｃ３１に記載の装置。
［Ｃ４２］
前記指示が、前記第１のモビリティ管理エンティティから前記第２のモビリティ管理エンティティに送られるコンテキスト情報中に含まれる、Ｃ４１に記載の装置。
［Ｃ４３］
前記判断が、前記第１のアクセスポイントに送られる前記メッセージに対する拒否を受信することを備え、
前記拒否は、前記ハンドオーバが進行中であるという指示を備える、Ｃ３１に記載の装置。
［Ｃ４４］
前記第１のアクセスポイントに前記メッセージを前記送ることが、Ｓ１インターフェースプロシージャを備え、
前記判断が、前記Ｓ１インターフェースプロシージャに対する拒否を受信することを備え、
前記拒否は、前記ハンドオーバが進行中であるという指示を備える、Ｃ３１に記載の装置。
［Ｃ４５］
前記第２のアクセスポイントに前記メッセージを前記送ることが、前記ハンドオーバが完了した場合に前記第２のアクセスポイントとの前記Ｓ１インターフェースプロシージャを再試行することを備える、Ｃ４４に記載の装置。
［Ｃ４６］
第１のアクセスポイントにメッセージを送ることであって、前記メッセージが、アクセス端末に関連する回線交換フォールバックインジケータを含む、送ることと、
前記メッセージが前記第１のアクセスポイントに送られた後に、前記第１のアクセスポイントから第２のアクセスポイントへの前記アクセス端末のハンドオーバが開始されたと判断することと、
前記判断の結果として前記第２のアクセスポイントにメッセージを送ることであって、前記第２のアクセスポイントに送られる前記メッセージが、前記アクセス端末に関連する前記回線交換フォールバックインジケータを含む、送ることとをコンピュータに行わせるためのコードを備えるコンピュータ可読媒体を備える、コンピュータプログラム製品。
［Ｃ４７］
前記第１のアクセスポイントに送られる前記メッセージがＵＥコンテキスト変更要求を備える、Ｃ４６に記載のコンピュータプログラム製品。
［Ｃ４８］
前記第１のアクセスポイントに送られる前記メッセージが初期コンテキストセットアップ要求を備える、Ｃ４６に記載のコンピュータプログラム製品。
［Ｃ４９］
前記判断が、前記アクセス端末の前記ハンドオーバを示す別のメッセージを受信することを備える、Ｃ４６に記載のコンピュータプログラム製品。
［Ｃ５０］
前記別のメッセージがハンドオーバ通知メッセージを備える、Ｃ４９に記載のコンピュータプログラム製品。
［Ｃ５１］
前記別のメッセージが経路切替え要求メッセージを備える、Ｃ４９に記載のコンピュータプログラム製品。
［Ｃ５２］
前記第１のアクセスポイントに送られる前記メッセージと前記第２のアクセスポイントに送られる前記メッセージとが、前記回線交換フォールバックインジケータを含むＵＥコンテキスト変更要求を備える、Ｃ４６に記載のコンピュータプログラム製品。
［Ｃ５３］
前記第２のアクセスポイントに前記メッセージを前記送ることが、前記アクセス端末の前記ハンドオーバが完了した場合に前記第２のアクセスポイントに前記メッセージを送ることを備える、Ｃ４６に記載のコンピュータプログラム製品。
［Ｃ５４］
前記ハンドオーバが開始されたという前記判断は、ハンドオーバ通知メッセージの受信に基づいて前記ハンドオーバが完了したと判断することを備える、Ｃ４６に記載のコンピュータプログラム製品。
［Ｃ５５］
前記ハンドオーバが開始されたという前記判断は、経路切替え要求メッセージの受信に基づいて前記ハンドオーバが完了したと判断することを備える、Ｃ４６に記載のコンピュータプログラム製品。
［Ｃ５６］
前記コンピュータ可読媒体が、前記判断の結果として、前記第１のアクセスポイントに関連する第１のモビリティ管理エンティティから、前記第２のアクセスポイントに関連する第２のモビリティ管理エンティティに前記アクセス端末のための回線交換フォールバックの指示を送ることを前記コンピュータに行わせるためのコードをさらに備える、Ｃ４６に記載のコンピュータプログラム製品。
［Ｃ５７］
前記指示が、前記第１のモビリティ管理エンティティから前記第２のモビリティ管理エンティティに送られるコンテキスト情報中に含まれる、Ｃ５６に記載のコンピュータプログラム製品。
［Ｃ５８］
前記判断が、前記第１のアクセスポイントに送られる前記メッセージに対する拒否を受信することを備え、
前記拒否は、前記ハンドオーバが進行中であるという指示を備える、Ｃ４６に記載のコンピュータプログラム製品。
［Ｃ５９］
前記第１のアクセスポイントに前記メッセージを前記送ることが、Ｓ１インターフェースプロシージャを備え、
前記判断が、前記Ｓ１インターフェースプロシージャに対する拒否を受信することを備え、
前記拒否は、前記ハンドオーバが進行中であるという指示を備える、Ｃ４６に記載のコンピュータプログラム製品。
［Ｃ６０］
前記第２のアクセスポイントに前記メッセージを前記送ることが、前記ハンドオーバが完了した場合に前記第２のアクセスポイントとの前記Ｓ１インターフェースプロシージャを再試行することを備える、Ｃ５９に記載のコンピュータプログラム製品。
【図１】
0005628334.tif 000002
【図２】
0005628334.tif 000003
【図３】
0005628334.tif 000004
【図４】
0005628334.tif 000005
【図５】
0005628334.tif 000006
【図６】
0005628334.tif 000007
【図７】
0005628334.tif 000008
【図８】
0005628334.tif 000009
【図９】
0005628334.tif 000010
【図１０】
0005628334.tif 000011
【図１１】
0005628334.tif 000012